(57)【要約】【課題】ブロック反転駆動を行う液晶表示装置において、ソースドライバの発熱量を抑制する。【解決手段】走査信号線を走査しながらそのタイミングに合わせてデータ信号線に信号電位を供給し、このデータ信号線に供給する信号電位の極性を、ｎ水平走査期間（例えば、ｎ＝４８）ごとに反転させ、連続するｎ水平走査期間からなる第１期間には第１極性（プラス）の信号電位を供給し、第１期間に続く、連続するｎ水平走査期間からなる第２期間には第２極性（マイナス）の信号電位を供給する液晶表示装置において、第１期間の先頭となる水平走査期間以外の水平走査期間においては第１予備電位（Ｖｐ）を供給した後に信号電位を供給し、第２期間の先頭となる水平走査期間以外の水平走査期間においては第２予備電位（Ｖｎ）を供給した後に信号電位を供給する。【選択図】図１
2010015057.tif 000002
【特許請求の範囲】
【請求項１】
走査信号線を走査しながらそのタイミングに合わせてデータ信号線に信号電位を供給し、このデータ信号線に供給する信号電位の極性を、ｎ水平走査期間（ｎは２以上の整数）ごとに反転させ、連続するｎ水平走査期間からなる第１期間には第１極性の信号電位を供給し、第１期間に続く、連続するｎ水平走査期間からなる第２期間には第２極性の信号電位を供給する液晶表示装置において、
第１期間の先頭となる水平走査期間以外の水平走査期間においては第１予備電位を供給した後に信号電位を供給し、
第２期間の先頭となる水平走査期間以外の水平走査期間においては第２予備電位を供給した後に信号電位を供給することを特徴とする液晶表示装置。
【請求項２】
第１予備電位は、最低階調に対応する第１極性の信号電位および最高階調に対応する第１極性の信号電位の略中間電位であることを特徴とする請求項１記載の液晶表示装置。
【請求項３】
第２予備電位は、最低階調に対応する第２極性の信号電位および最高階調に対応する第２極性の信号電位の略中間電位であることを特徴とする請求項１または２記載の液晶表示装置。
【請求項４】
第１および第２期間それぞれの先頭となる水平走査期間においては第３予備電位を供給した後に信号電位を供給することを特徴とする請求項１〜３のいずれか１項に記載の液晶表示装置。
【請求項５】
第３予備電位は、最高階調に対応する第１極性の信号電位および最高階調に対応する第２極性の信号電位の略中間電位であることを特徴とする請求項４記載の液晶表示装置。
【請求項６】
走査信号線を順次走査することを特徴とする請求項１〜５のいずれか１項に記載の液晶表示装置。
【請求項７】
走査信号線を飛び越し走査することを特徴とする請求項１〜５のいずれか１項に記載の液晶表示装置。
【請求項８】
１つの画素が複数の副画素からなり、中間調表示時に各副画素が異なる輝度に制御されることを特徴とする請求項１〜７のいずれか１項に記載の液晶表示装置。
【請求項９】
上記第１予備電位を供給する第１電源線と、第２予備電位を供給する第２電源線とを備えることを特徴とする請求項１〜８のいずれか１項に記載の液晶表示装置。
【請求項１０】
走査信号線を走査しながらそのタイミングに合わせてデータ信号線に信号電位を供給し、このデータ信号線に供給する信号電位の極性を、ｎ水平走査期間（ｎは２以上の整数）ごとに反転させ、連続するｎ水平走査期間からなる第１期間には第１極性の信号電位を供給し、第１期間に続く、連続するｎ水平走査期間からなる第２期間には第２極性の信号電位を供給する液晶表示装置の駆動方法において、
第１期間の先頭となる水平走査期間以外の水平走査期間においては第１予備電位を供給した後に信号電位を供給し、
第２期間の先頭となる水平走査期間以外の水平走査期間においては第２予備電位を供給した後に信号電位を供給することを特徴とする液晶表示装置の駆動方法。
【請求項１１】
請求項１〜９のいずれか１項に記載の液晶表示装置と、テレビジョン放送を受信するチューナ部とを備えることを特徴とするテレビジョン受像機。
【発明の詳細な説明】
【技術分野】
【０００１】
本発明は、データ信号線に供給する信号電位の極性を複数水平走査期間ごとに反転させるブロック反転駆動に関する。
【背景技術】
【０００２】
液晶表示装置のデータ信号線の駆動方法として、１本のデータ信号線に供給する信号電位を、一水平走査期間ごと（１映像データごと）に反転させるドット反転駆動が多く用いられている。しかしながら、このドット反転駆動では１フレーム期間におけるデータ信号線の極性反転回数が多く、データ信号線のドライバの発熱量や消費電力が増大するという問題があった。この問題に対しては、１本のデータ信号線に供給する信号電位を、連続する複数水平走査期間ごと（連続する複数の映像データごと）に反転させるブロック反転駆動（特許文献１参照）が有効である。
【特許文献１】特開平８−４３７９５号公報（１９９６年２月１６日公開）
【発明の開示】
【発明が解決しようとする課題】
【０００３】
しかしながら、近年では液晶表示装置の大型・高精細化が進み、ブロック反転駆動を採用した場合でも、データ信号線のドライバの発熱が誤動作の要因となっていることがわかってきた。
【０００４】
本発明は、上記課題に鑑みてなされたものであり、その目的は、ブロック反転駆動を行う液晶表示装置において、データ信号線のドライバの発熱量を抑制する点にある。
【課題を解決するための手段】
【０００５】
本発明の液晶表示装置は、走査信号線を走査しながらそのタイミングに合わせてデータ信号線に信号電位を供給し、このデータ信号線に供給する信号電位の極性を、ｎ水平走査期間（ｎは２以上の整数）ごとに反転させ、連続するｎ水平走査期間からなる第１期間には第１極性の信号電位を供給し、第１期間に続く、連続するｎ水平走査期間からなる第２期間には第２極性の信号電位を供給する液晶表示装置において、第１期間の先頭となる水平走査期間以外の水平走査期間においては第１予備電位を供給した後に信号電位を供給し、
第２期間の先頭となる水平走査期間以外の水平走査期間においては第２予備電位を供給した後に信号電位を供給することを特徴とする。
【０００６】
本液晶表示装置によれば、第１期間（第１極性の信号電位が供給される期間）および第２期間（第２極性の信号電位が供給される期間）ごとに異なる電位で予備充電することができるため、データ信号線の駆動回路（例えば、ソースドライバ）の発熱量を抑え、その誤作動を低減させることができる。この効果は、空間周波数の高い映像を表示した場合に特に顕著である。
【０００７】
本液晶表示装置においては、第１予備電位は、最低階調に対応する第１極性の信号電位および最高階調に対応する第１極性の信号電位の略中間電位である構成とすることもできる。
【０００８】
本液晶表示装置においては、第２予備電位は、最低階調に対応する第２極性の信号電位および最高階調に対応する第２極性の信号電位の略中間電位である構成とすることもできる。
【０００９】
本液晶表示装置においては、第１および第２期間それぞれの先頭となる水平走査期間においては第３予備電位を供給した後に信号電位を供給する構成とすることもできる。
【００１０】
本液晶表示装置においては、第３予備電位は、最高階調に対応する第１極性の信号電位および最高階調に対応する第２極性の信号電位の略中間電位である構成とすることもできる。
【００１１】
本液晶表示装置においては、走査信号線を順次走査する構成とすることもできる。また、走査信号線を飛び越し走査する構成とすることもできる。
【００１２】
本液晶表示装置においては、１つの画素が複数の副画素からなり、中間調表示時に各副画素が異なる輝度に制御される構成（いわゆるマルチ画素駆動方式）とすることもできる。
【００１３】
本液晶表示装置においては、上記第１予備電位を供給する第１電源線と、第２予備電位を供給する第２電源線とを備える構成とすることもできる。
【００１４】
本液晶表示装置の駆動方法は、走査信号線を走査しながらそのタイミングに合わせてデータ信号線に信号電位を供給し、このデータ信号線に供給する信号電位の極性を、ｎ水平走査期間（ｎは２以上の整数）ごとに反転させ、連続するｎ水平走査期間からなる第１期間には第１極性の信号電位を供給し、第１期間に続く、連続するｎ水平走査期間からなる第２期間には第２極性の信号電位を供給する液晶表示装置の駆動方法において、第１期間の先頭となる水平走査期間以外の水平走査期間においては第１予備電位を供給した後に信号電位を供給し、第２期間の先頭となる水平走査期間以外の水平走査期間においては第２予備電位を供給した後に信号電位を供給することを特徴とする。
【００１５】
本テレビジョン受像機は、上記液晶表示装置と、テレビジョン放送を受信するチューナ部とを備えることを特徴とする。
【発明の効果】
【００１６】
以上のように、本液晶表示装置によれば、ブロック反転駆動を行う液晶表示装置において、データ信号線のドライバ（ソースドライバ）の発熱量を抑制することができる。
【発明を実施するための最良の形態】
【００１７】
本発明にかかる実施の形態の例を、図１〜１０を用いて説明すれば、以下のとおりである。また、以下では、１水平走査期間（１Ｈ）を、データ信号線に１画素に対応する電位（チャージシェア電位と信号電位）が出力されている期間とする。
【００１８】
〔実施の形態１〕
図１は、本液晶表示装置の一駆動方法を示すタイミングチャートであり、図２は本液晶表示装置の書き込み状態を示す模式図である。
【００１９】
図１・２に示すように、本実施の形態では、走査信号線（Ｇ１、Ｇ２・・・）を順次走査しながらそのタイミングに合わせてデータ信号線（例えば、ＳＬ１）に信号電位を供給し、１本のデータ信号線（例えば、ＳＬ１）に供給する信号電位の極性を、ｎ水平走査期間（例えば、４８Ｈ）ごとに反転させる（ブロック反転駆動）。なお、同一極性の信号電位が供給される期間を１周期としている。
【００２０】
ここで、各周期の先頭となる水平走査期間では、データ信号線ＳＬ１に、チャージシェア電位Ｖｃ（第３予備電位）を供給した後にデータに対応する信号電位を供給する。すなわち、水平走査期間（１Ｈ）の冒頭にプリチャージ期間Ｔｃを設け、このプリチャージ期間Ｔｃにチャージシェア電位Ｖｃを供給する。このチャージシェア電位Ｖｃは、例えば、液晶パネルの共通電極電位（Ｖｃｏｍ）に等しい電位とする。また、プラス極性の信号電位が供給される周期（以下、プラス周期という）では、データ信号線ＳＬ１に、先頭となる水平走査期間以外の水平走査期間においてチャージシェア電位Ｖｐを供給した後にデータに対応する信号電位を供給する。具体的には、水平走査期間（１Ｈ）の冒頭にプリチャージ期間Ｔｐを設け、このプリチャージ期間Ｔｐにチャージシェア電位Ｖｐを供給する。このチャージシェア電位Ｖｐは、例えば、最低階調（０階調）に対応するプラス極性の信号電位Ｖｘおよび最高階調（８ビット信号であれば２５５階調）に対応するプラス極性の信号電位ＶＸの略中間電位に等しい電位とする。また、マイナス極性の信号電位が供給される周期（以下、マイナス周期という）でも、データ信号線ＳＬ１に、先頭となる水平走査期間以外の水平走査期間においてチャージシェア電位を供給した後にデータに対応する信号電位を供給する。具体的には、水平走査期間（１Ｈ）の冒頭にプリチャージ期間Ｔｎを設け、このプリチャージ期間Ｔｎにチャージシェア電位Ｖｎを供給する。このチャージシェア電位Ｖｎは、例えば、最低階調（０階調）に対応するマイナス極性の信号電位Ｖｙおよび最高階調（８ビット信号であれば２５５階調）に対応するマイナス極性の信号電位ＶＹの略中間電位に等しい電位とする。上記の駆動によれば、データ信号線ＳＬ１の電位Ｖｓは、例えば図２のような波形となる。
【００２１】
より詳細に説明すれば以下のとおりである。本駆動では、図２に示すように、１〜４８番目の水平走査期間が第１周期（プラス周期）、４９〜９６番目の水平走査期間が第２周期（マイナス周期）、９７〜１４４番目の水平走査期間が第３周期（プラス周期）、１４５番目の水平走査期間が第４周期（マイナス周期）の先頭水平走査期間となっている。
【００２２】
第１周期では、１番目の水平走査期間において、データ信号線ＳＬ１にチャージシェア電位Ｖｃが出力された後にデータＤ１（走査信号線Ｇ１に接続する画素Ｐ１へのデータ）に対応する信号電位（プラス極性）が出力され、この１番目の水平走査期間に走査信号線Ｇ１が選択（ＯＮ）される。２番目の水平走査期間には、データ信号線ＳＬ１にチャージシェア電位Ｖｐが出力された後にデータＤ２（走査信号線Ｇ２に接続する画素Ｐ２へのデータ）に対応する信号電位（プラス極性）が出力され、この２番目の水平走査期間に走査信号線Ｇ２が選択（ＯＮ）される。以後これが４８番目の水平走査期間まで繰り返される。
【００２３】
第２周期では、４９番目の水平走査期間には、チャージシェア電位Ｖｃが出力された後にデータＤ４９（走査信号線Ｇ４９に接続する画素Ｐ４９へのデータ）に対応する信号電位（マイナス極性）が出力され、この４９番目の水平走査期間に走査信号線Ｇ４９が選択（ＯＮ）される。５０番目の水平走査期間には、チャージシェア電位Ｖｎが出力された後にデータＤ５０（走査信号線Ｇ５０に接続する画素Ｐ５０へのデータ）に対応する信号電位（マイナス極性）が出力され、この５０番目の水平走査期間に走査信号線Ｇ５０が選択（ＯＮ）される。以後これが９６番目の水平走査期間まで繰り返される。
【００２４】
第３周期では、９７番目の水平走査期間には、チャージシェア電位Ｖｃが出力された後にデータＤ９７（走査信号線Ｇ９７に接続する画素Ｐ９７へのデータ）に対応する信号電位（プラス極性）が出力され、この９７番目の水平走査期間に走査信号線Ｇ９７が選択（ＯＮ）される。９８番目の水平走査期間には、チャージシェア電位Ｖｐが出力された後にデータＤ９８に対応する信号電位（プラス極性）が出力され、この９８番目の水平走査期間に走査信号線Ｇ９８が選択（ＯＮ）される。以後これが１４４番目の水平走査期間まで繰り返される。
【００２５】
第４周期では、１４５番目の水平走査期間には、チャージシェア電位Ｖｃが出力された後にデータＤ１４５（走査信号線Ｇ１４５に接続する画素Ｐ１４５へのデータ）に対応する信号電位（マイナス極性）が出力され、この１４５番目の水平走査期間に走査信号線Ｇ１４５が選択（ＯＮ）される。１４６番目の水平走査期間には、チャージシェア電位Ｖｎが出力された後にデータＤ１４６（走査信号線Ｇ１４６に接続する画素Ｐ１４６へのデータ）に対応する信号電位（マイナス極性）が出力され、この１４６番目の水平走査期間に走査信号線Ｇ１４６が選択（ＯＮ）される。
【００２６】
本駆動によれば、ブロック反転駆動において、プラス周期の各水平走査期間の冒頭に、最低階調に対応するプラス極性の信号電位Ｖｘおよび最高階調に対応するプラス極性の信号電位ＶＸの略中間電位に等しい電位Ｖｐを供給し、マイナス周期の各水平走査期間の冒頭に、最低階調に対応するマイナス極性の信号電位Ｖｙおよび最高階調に対応するマイナス極性の信号電位ＶＹの略中間電位に等しい電位Ｖｎを供給しているため、データ信号線を駆動するソースドライバの発熱量を抑え、その誤作動を低減させることができる。この効果は、空間周波数の高い映像を表示した場合に特に顕著である。
【００２７】
図３は、本液晶表示装置の一駆動方法を示すタイミングチャートであり、図４は本液晶表示装置の書き込み状態を示す模式図である。
【００２８】
本実施の形態では、走査信号線（Ｇ１、Ｇ２・・・）を飛び越し走査しながらそのタイミングに合わせてデータ信号線（例えば、ＳＬ１）に信号電位を供給し、１本のデータ信号線（例えば、ＳＬ１）に供給する信号電位の極性を、ｎ水平走査期間（例えば、４８Ｈ）ごとに反転させる（ブロック反転駆動）。ここで、各周期の先頭となる水平走査期間では、データ信号線ＳＬ１に、チャージシェア電位Ｖｃ（第３予備電位）を供給した後にデータに対応する信号電位を供給し、プラス周期では、データ信号線ＳＬ１に、先頭となる水平走査期間以外の水平走査期間においてチャージシェア電位Ｖｐを供給した後にデータに対応する信号電位を供給し、マイナス周期では、データ信号線ＳＬ１に、先頭となる水平走査期間以外の水平走査期間においてチャージシェア電位Ｖｎを供給した後にデータに対応する信号電位を供給する。
【００２９】
具体的には、１〜４８番目の水平走査期間が第１周期（プラス周期）、４９〜９６番目の水平走査期間が第２周期（マイナス周期）、９７〜１４４番目の水平走査期間が第３周期（プラス周期）、１４５番目の水平走査期間が第４周期（マイナス周期）の先頭水平走査期間となっている。
【００３０】
第１周期では、１番目の水平走査期間に、チャージシェア電位Ｖｃが出力された後にデータＤ１（走査信号線Ｇ１に接続する画素Ｐ１へのデータ）に対応する信号電位（プラス極性）が出力され、この１番目の水平走査期間に奇数番目の走査信号線Ｇ１が選択（ＯＮ）される。２番目の水平走査期間には、チャージシェア電位Ｖｐが出力された後にデータＤ３（走査信号線Ｇ３に接続する画素Ｐ３へのデータ）に対応する信号電位（プラス極性）が出力され、この２番目の水平走査期間に奇数番目の走査信号線Ｇ３が選択（ＯＮ）される。３番目の水平走査期間には、チャージシェア電位Ｖｐが出力された後にデータＤ５（走査信号線Ｇ５に接続する画素Ｐ５へのデータ）に対応する信号電位（プラス極性）が出力され、この３番目の水平走査期間に奇数番目の走査信号線Ｇ５が選択（ＯＮ）される。以後これが４８番目の水平走査期間まで繰り返され、Ｇ７からＧ９５まで奇数番目の走査信号線が飛び越し走査される。
【００３１】
第２周期では、４９番目の水平走査期間に、チャージシェア電位Ｖｃが出力された後にデータＤ２（走査信号線Ｇ２に接続する画素Ｐ２へのデータ）に対応する信号電位（マイナス極性）が出力され、この４９番目の水平走査期間に偶数番目の走査信号線Ｇ２が選択（ＯＮ）される。５０番目の水平走査期間には、チャージシェア電位Ｖｎが出力された後にデータＤ４（走査信号線Ｇ４に接続する画素Ｐ４へのデータ）に対応する信号電位（マイナス極性）が出力され、この５０番目の水平走査期間に偶数番目の走査信号線Ｇ４が選択（ＯＮ）される。５１番目の水平走査期間には、チャージシェア電位Ｖｎが出力された後にデータＤ６（走査信号線Ｇ６に接続する画素Ｐ６へのデータ）に対応する信号電位（マイナス極性）が出力され、この５１番目の水平走査期間に偶数番目の走査信号線Ｇ６が選択（ＯＮ）される。以後これが９６番目の水平走査期間まで繰り返され、Ｇ８からＧ９６まで偶数番目の走査信号線が飛び越し走査される。
【００３２】
第３周期では、９７番目の水平走査期間には、チャージシェア電位Ｖｃが出力された後にデータＤ９７（走査信号線Ｇ９７に接続する画素Ｐ９７へのデータ）に対応する信号電位（プラス極性）が出力され、この９７番目の水平走査期間に奇数番目の走査信号線Ｇ９７が選択（ＯＮ）される。９８番目の水平走査期間には、チャージシェア電位Ｖｐが出力された後にデータＤ９９（走査信号線Ｇ９９に接続する画素Ｐ９９へのデータ）に対応する信号電位（プラス極性）が出力され、この９９番目の水平走査期間に奇数番目の走査信号線Ｇ９９が選択（ＯＮ）される。
【００３３】
本駆動によれば、ブロック反転駆動において、プラス周期の各水平走査期間の冒頭にチャージシェア電位Ｖｐを供給し、マイナス周期の各水平走査期間の冒頭に、チャージシェア電位Ｖｎを供給しているため、データ信号線を駆動するソースドライバの発熱量を抑え、その誤作動を低減させることができる。この効果は、空間周波数の高い映像を表示した場合に特に顕著である。加えて、各画素に書き込まれる信号電位の極性分布を、図４に示すようにドット反転状にすることができるため、フリッカを抑制することができる。
【００３４】
〔実施の形態２〕
図５は実施の形態２にかかる液晶表示装置の構成を示す模式図であり、図６（ａ）（ｂ）は図５の部分拡大図である。図５・６（ａ）（ｂ）に示されるように、本液晶表示装置には、走査信号線（Ｇ１・・・）と平行に複数の保持容量配線（Ｃｓ１・・・）が設けられ、１画素に、列方向（データ信号線の延伸方向）に並ぶ２つの副画素（ｓｐａ・ｓｐｂ）が設けられ、これら副画素は別々の保持容量配線と保持容量を形成している。すなわち、図６（ｂ）に示されるように、データ信号線ＳＬ１に対応する画素列のｉ番目（ｉは１〜１０８０の整数）の画素を画素Ｐｉとすれば、画素Ｐｉは、走査信号線Ｇｉとデータ信号線ＳＬ１とに接続される２つの副画素ｓｐａｉ・ｓｐｂｉを有し、副画素ｓｐａｉ内の画素電極が保持容量配線Ｃｓｉと保持容量を形成し、副画素ｓｐｂｉ内の画素電極が保持容量配線Ｃｓ（ｉ＋１）と保持容量を形成している。
【００３５】
例えば、走査信号線Ｇ１とデータ信号線ＳＬ１とに接続される画素Ｐ１が、２つの副画素ｓｐａ１・ｓｐｂ１を有しており、副画素ｓｐａ１内の画素電極が保持容量配線Ｃｓ１と保持容量を形成し、副画素ｓｐｂ１内の画素電極が保持容量配線Ｃｓ２と保持容量を形成している。同様に、走査信号線Ｇ２とデータ信号線ＳＬ１とに接続される画素Ｐ２が、２つの副画素ｓｐａ２・ｓｐｂ２を有しており、副画素ｓｐａ２内の画素電極が保持容量配線Ｃｓ２と保持容量を形成し、副画素ｓｐｂ２内の画素電極が保持容量配線Ｃｓ３と保持容量を形成している。また、走査信号線Ｇ４８とデータ信号線ＳＬ１とに接続される画素Ｐ４８が、２つの副画素ｓｐａ４８・ｓｐｂ４８を有しており、副画素ｓｐａ４８内の画素電極が保持容量配線Ｃｓ４８と保持容量を形成し、副画素ｓｐｂ４８内の画素電極が保持容量配線Ｃｓ４９と保持容量を形成している。また、走査信号線Ｇ４９とデータ信号線ＳＬ１とに接続される画素Ｐ４９が、２つの副画素ｓｐａ４９・ｓｐｂ４９を有しており、副画素ｓｐａ４９内の画素電極が保持容量配線Ｃｓ４９と保持容量を形成し、副画素ｓｐｂ４９内の画素電極が保持容量配線Ｃｓ５０と保持容量を形成している。
【００３６】
本実施の形態では、走査信号線（Ｇ１、Ｇ２・・・）を順次走査しながらそのタイミングに合わせてデータ信号線（例えば、ＳＬ１）に信号電位を供給し、１本のデータ信号線（例えば、ＳＬ１）に供給する信号電位の極性を、ｎ水平走査期間（例えば、４８Ｈ）ごとに反転させる（ブロック反転駆動）。ここで、各周期の先頭となる水平走査期間では、データ信号線ＳＬ１に、チャージシェア電位Ｖｃ（第３予備電位）を供給した後にデータに対応する信号電位を供給し、プラス周期では、データ信号線ＳＬ１に、先頭となる水平走査期間以外の水平走査期間においてチャージシェア電位Ｖｐを供給した後にデータに対応する信号電位を供給し、マイナス周期では、データ信号線ＳＬ１に、先頭となる水平走査期間以外の水平走査期間においてチャージシェア電位Ｖｎを供給した後にデータに対応する信号電位を供給する。
【００３７】
すなわち、第１周期では、１番目の水平走査期間において、データ信号線ＳＬ１にチャージシェア電位Ｖｃが出力された後にデータＤ１（走査信号線Ｇ１に接続する画素Ｐ１へのデータ）に対応する信号電位（プラス極性）が出力され、この１番目の水平走査期間に走査信号線Ｇ１が選択（ＯＮ）される。２番目の水平走査期間には、データ信号線ＳＬ１にチャージシェア電位Ｖｐが出力された後にデータＤ２（走査信号線Ｇ２に接続する画素Ｐ２へのデータ）に対応する信号電位（プラス極性）が出力され、この２番目の水平走査期間に走査信号線Ｇ２が選択（ＯＮ）される。以後これが４８番目の水平走査期間まで繰り返される。また、第２周期では、４９番目の水平走査期間には、チャージシェア電位Ｖｃが出力された後にデータＤ４９（走査信号線Ｇ４９に接続する画素Ｐ４９へのデータ）に対応する信号電位（マイナス極性）が出力され、この４９番目の水平走査期間に走査信号線Ｇ４９が選択（ＯＮ）される。５０番目の水平走査期間には、チャージシェア電位Ｖｎが出力された後にデータＤ５０（走査信号線Ｇ５０に接続する画素Ｐ５０へのデータ）に対応する信号電位（マイナス極性）が出力され、この５０番目の水平走査期間に走査信号線Ｇ５０が選択（ＯＮ）される。
【００３８】
ここで、保持容量配線Ｃｓｉに供給されるＣｓ信号ＳＣＳｉおよび保持容量配線Ｃｓ（ｉ＋１）に供給されるＣｓ信号ＳＣＳ（ｉ＋１）はそれぞれ、走査信号線Ｇｉの走査終了後に互いに逆方向（突き上げ・下げ方向）にレベルシフトする。これにより、２つの副画素（ｓｐａｉ・ｓｐｂｉ）の一方の電位をデータ信号線ＳＬ１からの書き込み電位に対して上に振り、他方の電位を該書き込み電位に対して下に振ることができ、副画素ｓｐａｉ・ｓｐｂｉを異なる輝度に制御することができる。
【００３９】
例えば、保持容量配線Ｃｓ１に供給されるＣｓ信号ＳＣＳ１は、走査信号線Ｇ１の走査終了後に「Ｌ」から「Ｈ」にレベルシフトする（突き上げる）一方、保持容量配線Ｃｓ２に供給されるＣｓ信号ＳＣＳ２は、走査信号線Ｇ１の走査終了後に「Ｈ」から「Ｌ」にレベルシフトする（突き下げる）。これにより、副画素ｓｐａ１の電位をデータ信号線ＳＬ１からの書き込み電位に対して上に振り、副画素ｓｐｂ１の電位を該書き込み電位に対して下に振ることができ、書き込み電位がプラス極性であるため、副画素ｓｐａ１・ｓｐｂ１をそれぞれ、明副画素（Ｍ＋）、暗副画素（Ａ＋）とすることができる（図８参照）。
【００４０】
また、保持容量配線Ｃｓ２に供給されるＣｓ信号ＳＣＳ１は、走査信号線Ｇ２の走査終了後に「Ｈ」から「Ｌ」にレベルシフトする（突き下げる）一方、保持容量配線Ｃｓ３に供給されるＣｓ信号ＳＣＳ３は、走査信号線Ｇ２の走査終了後に「Ｌ」から「Ｈ」にレベルシフトする（突き上げる）。これにより、副画素ｓｐａ２の電位をデータ信号線ＳＬ１からの書き込み電位に対して下に振り、副画素ｓｐｂ２の電位を該書き込み電位に対して上に振ることができ、書き込み電位がプラス極性であるため、副画素ｓｐａ２・ｓｐｂ２をそれぞれ、暗副暗画素（Ａ＋）、明副画素（Ｍ＋）とすることができる（図８参照）。
【００４１】
また、保持容量配線Ｃｓ４９に供給されるＣｓ信号ＳＣＳ４９は、走査信号線Ｇ４９の走査終了後に「Ｌ」から「Ｈ」にレベルシフトする（突き上げる）一方、保持容量配線Ｃｓ５０に供給されるＣｓ信号ＳＣＳ５０は、走査信号線Ｇ４９の走査終了後に「Ｈ」から「Ｌ」にレベルシフトする（突き下げる）。これにより、副画素ｓｐａ４９の電位をデータ信号線ＳＬ１からの書き込み電位に対して上に振り、副画素ｓｐｂ４９の電位を該書き込み電位に対して下に振ることができ、書き込み電位がマイナス極性であるため、副画素ｓｐａ４９・ｓｐｂ４９をそれぞれ、暗副画素（Ａ−）、明副画素（Ｍ−）とすることができる（図８参照）。
【００４２】
本駆動によれば、ブロック反転駆動において、プラス周期の各水平走査期間の冒頭にチャージシェア電位Ｖｐを供給し、マイナス周期の各水平走査期間の冒頭に、チャージシェア電位Ｖｎを供給しているため、データ信号線を駆動するソースドライバの発熱量を抑え、その誤作動を低減させることができる。この効果は、空間周波数の高い映像を表示した場合に特に顕著である。加えて、輝度の異なる複数の副画素によって中間調を表示することができるため、液晶表示装置の視野角特性を高めることができる。
【００４３】
図９は、本液晶表示装置の構成を示すブロック図である。同図に示されるように、本液晶表示装置は、表示部（液晶パネル）と、ソースドライバと、ゲートドライバと、バックライトと、バックライト駆動回路と、表示制御回路とを備えている。ソースドライバはデータ信号線を駆動し、ゲートドライバは走査信号線を駆動し、表示制御回路は、ソースドライバ、ゲートドライバおよびバックライト駆動回路を制御する。
【００４４】
表示制御回路は、外部の信号源（例えばチューナ）から、表示すべき画像を表すデジタルビデオ信号Ｄｖと、当該デジタルビデオ信号Ｄｖに対応する水平同期信号ＨＳＹおよび垂直同期信号ＶＳＹと、表示動作を制御するための制御信号Ｄｃとを受け取る。また、表示制御回路は、受け取ったこれらの信号Ｄｖ，ＨＳＹ，ＶＳＹ，Ｄｃに基づき、そのデジタルビデオ信号Ｄｖの表す画像を表示部に表示させるための信号として、データスタートパルス信号ＳＳＰと、データクロック信号ＳＣＫと、表示すべき画像を表すデジタル画像信号ＤＡ（ビデオ信号Ｄｖに対応する信号）と、ゲートスタートパルス信号ＧＳＰと、ゲートクロック信号ＧＣＫと、ゲートドライバ出力制御信号（走査信号出力制御信号）ＧＯＥと、データ信号線に供給する信号電位の極性を制御する極性反転信号ＰＯＬとを生成し、これらを出力する。
【００４５】
より詳しくは、ビデオ信号Ｄｖを内部メモリで必要に応じてタイミング調整等を行った後に、デジタル画像信号ＤＡとして表示制御回路から出力し、そのデジタル画像信号ＤＡの表す画像の各画素に対応するパルスからなる信号としてデータクロック信号ＳＣＫを生成し、水平同期信号ＨＳＹに基づき１水平走査期間毎に所定期間だけハイレベル（Ｈレベル）となる信号としてデータスタートパルス信号ＳＳＰを生成し、垂直同期信号ＶＳＹに基づき１フレーム期間（１垂直走査期間）毎に所定期間だけＨレベルとなる信号としてゲートスタートパルス信号ＧＳＰを生成し、水平同期信号ＨＳＹに基づきゲートクロック信号ＧＣＫを生成し、水平同期信号ＨＳＹおよび制御信号Ｄｃに基づきゲートドライバ出力制御信号ＧＯＥを生成する。
【００４６】
上記のようにして表示制御回路において生成された信号のうち、デジタル画像信号ＤＡ、極性反転信号ＰＯＬ、データスタートパルス信号ＳＳＰ、およびデータクロック信号ＳＣＫは、ソースドライバに入力され、ゲートスタートパルス信号ＧＳＰとゲートクロック信号ＧＣＫとゲートドライバ出力制御信号ＧＯＥとは、ゲートドライバに入力される。
【００４７】
ソースドライバは、デジタル画像信号ＤＡ、データクロック信号ＳＣＫ、データスタートパルス信号ＳＳＰ、および極性反転信号ＰＯＬに基づき、デジタル画像信号ＤＡの表す画像の各走査信号線における画素値に相当するアナログ電位としてのデータ信号を１水平走査期間毎に順次生成し、これらのデータ信号をデータ信号線（ＳＬ１・ＳＬ２）に出力する。
【００４８】
ゲートドライバは、ゲートスタートパルス信号ＧＳＰおよびゲートクロック信号ＧＣＫと、ゲートドライバ出力制御信号ＧＯＥとに基づき、走査信号を生成し、これらを走査信号線に出力し、これによって走査信号線を選択的に駆動する。
【００４９】
上記のようにソースドライバおよびゲートドライバにより表示部（液晶パネル）のデータ信号線および走査信号線が駆動されることで、選択された走査信号線に接続されたＴＦＴを介して、データ信号線から画素電極に信号電位が書き込まれる。これにより各画素の液晶層にデジタル画像信号ＤＡに応じた電圧が印加され、その電圧印加によってバックライトからの光の透過量が制御され、デジタルビデオ信号Ｄｖの示す画像が画素に表示される。
【００５０】
図１０に本液晶表示装置のソースドライバの一構成例を示す。本ソースドライバでは、電源ラインＰＳ１・ＰＳ２が設けられ、１本のデータ信号線に対して、デジタルアナログ変換回路（ＤＡＣ）と、バッファ（Ｂ）と、２つ１組のスイッチ（ＳＷ・ｓｗ）とが設けられ、隣接する２本のデータ信号線ごとに切り替え回路（ＫＣ）が設けられている。なお、電源ラインＰＳ１はＶｐあるいはＶｃを選択的に供給し、電源ラインＰＳ２はＶｎあるいはＶｃを選択的に供給する。
【００５１】
例えば、データ信号線ＳＬ１に対応して、ＤＡＣ１と、バッファＢ１と、１組のスイッチＳＷ１・ｓｗ１とが設けられ、データ信号線ＳＬ２に対応して、ＤＡＣ２と、バッファＢ２と、１組のスイッチＳＷ２・ｓｗ２とが設けられ、これら２本のデータ信号線（ＳＬ１・ＳＬ２）に対応して切り替え回路ＫＣ１が設けられている。ここで、ＤＡＣ１の出力がバッファＢ１に入力され、バッファＢ１の出力がスイッチＳＷ１を介してノードＮ１に接続され、ノードＮ１が切り替え回路ＫＣ１に接続され、かつ該ノードＮ１がスイッチｓｗ１を介して電源ラインＰＳ１に接続されている。なお、切り替え回路ＫＣ１はデータ信号線ＳＬ１に繋がる。また、ＤＡＣ２の出力がバッファＢ２に入力され、バッファＢ２の出力がスイッチＳＷ２を介してノードＮ２に接続され、ノードＮ２が切り替え回路ＫＣ１に接続され、かつ該ノードＮ２がスイッチｓｗ２を介して電源ラインＰＳ２に接続されている。なお、切り替え回路ＫＣ１はデータ信号線ＳＬ２に繋がる。なお、上記のように切り替え回路ＫＣ１はノードＮ１およびノードＮ２並びにデータ信号線ＳＬ１・ＳＬ２に接続されており、ノードＮ１をデータ信号線ＳＬ１またはＳＬ２に選択的に接続し、ノードＮ２をデータ信号線ＳＬ１またはＳＬ２に選択的に接続する機能を有している。
【００５２】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【００５３】
本発明の表示装置は、特に、液晶表示装置（例えば、液晶テレビ）に好適である。
【図面の簡単な説明】
【００５４】
【図１】実施の形態１の駆動方法を示すタイミングチャートである。
【図２】図１に示す駆動方法を用いた場合の液晶表示装置の表示状態を示す模式図である。
【図３】実施の形態１の他の駆動方法を示すタイミングチャートである。
【図４】図３に示す駆動方法を用いた場合の液晶表示装置の表示状態を示す模式図である。
【図５】実施の形態２にかかる液晶表示装置の表示部の構成を示す模式図である。
【図６】（ａ）（ｂ）は、図５の部分拡大図である。
【図７】実施の形態２の駆動方法を示すタイミングチャートである。
【図８】図７に示す駆動方法を用いた場合の液晶表示装置の表示状態を示す模式図である。
【図９】本液晶表示装置の全体構成を示す模式図である。
【図１０】本液晶表示装置のソースドライバの一構成例を示す模式図である。
【符号の説明】
【００５５】
Ｇ１〜Ｇ１０８０  走査信号線
Ｖｐ  第１予備電位
Ｖｎ  第２予備電位
ＳＬ１・ＳＬ２  データ信号線
Ｐ１〜Ｐ１０８０  画素
ｓｐａ・ｓｐｂ  副画素
Ｃｓ１〜Ｃｓ１０８０  保持容量配線
ＰＳ１  ＰＳ２  電源ライン
【図１】
2010015057.tif 000003
【図２】
2010015057.tif 000004
【図３】
2010015057.tif 000005
【図４】
2010015057.tif 000006
【図５】
2010015057.tif 000007
【図６】
2010015057.tif 000008
【図７】
2010015057.tif 000009
【図８】
2010015057.tif 000010
【図９】
2010015057.tif 000011
【図１０】
2010015057.tif 000012